(57)【要約】【課題】家庭内サーバー装置と接続された外部ネットワーク以外に、接続された他の家庭機器と双方向の情報のやり取りを行うこと。【解決手段】家庭内サーバー装置２と、給湯器本体１に備えられたインターフェイス４とを接続することにより、前記家庭内サーバー装置２に接続された外部ネットワークまたは他の機器から受け取った情報を前記給湯器本体１を遠隔操作するリモコン３の表示部６または音声報知部７に表示／報知する。【選択図】図１
2005249291.tif 000002
【特許請求の範囲】
【請求項１】
家庭内サーバー装置と、前記家庭内サーバー装置と接続可能なインターフェイスを給湯器本体に備え、前記家庭内サーバー装置に接続された外部情報提供システムから受け取った情報を前記給湯器本体を遠隔操作するリモコンの表示部または音声報知部に表示／報知することが可能な給湯器ネットワークシステム。
【請求項２】
家庭内サーバー装置と、前記家庭内サーバー装置と接続可能なインターフェイスを給湯器本体を遠隔操作するリモコンに備え、前記家庭内サーバー装置に接続された外部情報提供システムから受け取った情報を前記リモコンの表示部または音声報知部に表示／報知することが可能な給湯器ネットワークシステム。
【請求項３】
家庭内サーバー装置と、前記家庭内サーバー装置と接続可能なインターフェイスを給湯器本体に備え、前記家庭内サーバー装置に接続された外部情報受付システムへ前記給湯器本体の情報を送信することが可能な給湯器ネットワークシステム。
【請求項４】
家庭内サーバー装置と、前記家庭内サーバー装置と接続可能なインターフェイスを給湯器本体に備え、前記家庭内サーバー装置に接続された他の家庭内機器の情報を前記給湯器本体を遠隔操作するリモコンの表示部または音声報知部に表示／報知することが可能な給湯器ネットワークシステム。
【請求項５】
家庭内サーバー装置と、前記家庭内サーバー装置と接続可能なインターフェイスを給湯器本体に備え、前記家庭内サーバー装置に接続された他の家庭内機器へ前記給湯器本体の情報を送信することが可能な給湯器ネットワークシステム。
【請求項６】
家庭内サーバー装置と、前記家庭内サーバー装置と接続可能なインターフェイスを給湯器本体を遠隔操作するリモコンに備え、前記家庭内サーバー装置に接続された外部情報受付システムへ前記給湯器本体の情報を送信することが可能な給湯器ネットワークシステム。
【請求項７】
家庭内サーバー装置と、前記家庭内サーバー装置と接続可能なインターフェイスを給湯器本体を遠隔操作するリモコンに備え、前記家庭内サーバー装置に接続された他の家庭内機器の情報を前記リモコンの表示部または音声報知部に表示／報知することが可能な給湯器ネットワークシステム。
【請求項８】
家庭内サーバー装置と、前記家庭内サーバー装置と接続可能なインターフェイスを給湯器本体を遠隔操作するリモコンに備え、前記家庭内サーバー装置に接続された他の家庭内機器へ前記給湯器本体の情報を送信することが可能な給湯器ネットワークシステム。
【発明の詳細な説明】
【技術分野】
【０００１】
本発明は家庭内サーバー装置と接続可能なインターフェイスを給湯器本体または給湯器本体を遠隔操作するリモコンに備え、外部情報提供システムまたは他の家庭内機器と情報のやり取りが可能な給湯器ネットワークシステムに関するものである。
【背景技術】
【０００２】
従来、この種の給湯器ネットワークシステムは給湯器システムを外部のネットワークと直接接続し、情報を受け取るのみであった（例えば、特許文献１参照）。
【０００３】
図９は、特許文献１に記載された従来の給湯器ネットワークシステムを示すものである。図９に示すように、給湯器本体１と遠隔操作するリモコン３と外部のネットワーク１０から構成されている。
【特許文献１】特開２００１−２７２１０４号公報
【発明の開示】
【発明が解決しようとする課題】
【０００４】
しかしながら、前記従来の構成では、給湯器システムと外部のネットワークとを直接接続させるため他の機器との情報共有ができなかった、また、外部からの情報一方通行（受信のみ）という課題を有していた。
【０００５】
本発明は、前記従来の課題を解決するもので、家庭内サーバー装置と接続可能なインターフェイスを給湯器本体または給湯器本体を遠隔操作するリモコンに備えることで、前記家庭内サーバー装置と接続された外部ネットワーク以外に、接続された他の家庭機器と双方向の情報のやり取りもできることを目的とする。
【課題を解決するための手段】
【０００６】
前記従来の課題を解決するために、本発明の給湯器ネットワークシステムは、家庭内サーバー装置と接続可能なインターフェイスを給湯器本体または給湯器本体を遠隔操作するリモコンに備え、外部ネットワークまたは他の家庭内機器と情報のやり取りできることを特徴としたものである。
【発明の効果】
【０００７】
本発明の給湯器ネットワークシステムは、家庭内サーバー装置と接続可能なインターフェイスを給湯器本体または給湯器本体を遠隔操作するリモコンに備え、外部ネットワークまたは他の家庭内機器と情報のやり取りできることができる。
【発明を実施するための最良の形態】
【０００８】
第１の発明は、家庭内サーバー装置と、前記家庭内サーバー装置と接続可能なインターフェイスを給湯器本体に備え、前記家庭内サーバー装置に接続された外部情報提供システムから受け取った情報を前記給湯器本体を遠隔操作するリモコンの表示部または音声報知部に表示／報知することができる。
【０００９】
第２の発明は、家庭内サーバー装置と、前記家庭内サーバー装置と接続可能なインターフェイスを給湯器本体を遠隔操作するリモコンに備え、前記家庭内サーバー装置に接続された外部情報提供システムから受け取った情報を前記リモコンの表示部または音声報知部に表示／報知することができる。
【００１０】
第３の発明は、家庭内サーバー装置と、前記家庭内サーバー装置と接続可能なインターフェイスを給湯器本体に備え、前記家庭内サーバー装置に接続された外部情報受付システムへ前記給湯器の情報を送信することができる。
【００１１】
第４の発明は、家庭内サーバー装置と、前記家庭内サーバー装置と接続可能なインターフェイスを給湯器本体に備え、前記家庭内サーバー装置に接続された他の家庭内機器の情報を前記給湯器を遠隔操作するリモコンの表示部または音声報知部に表示／報知することができる。
【００１２】
第５の発明は、家庭内サーバー装置と、前記家庭内サーバー装置と接続可能なインターフェイスを給湯器本体に備え、前記家庭内サーバー装置に接続された他の家庭内機器へ前記給湯器の情報を送信することができる。
【００１３】
第６の発明は、家庭内サーバー装置と、前記家庭内サーバー装置と接続可能なインターフェイスを給湯器を遠隔操作するリモコンに備え、前記家庭内サーバー装置に接続された外部情報受付システムへ前記給湯器の情報を送信することができる。
【００１４】
第７の発明は、家庭内サーバー装置と、前記家庭内サーバー装置と接続可能なインターフェイスを給湯器を遠隔操作するリモコンに備え、前記家庭内サーバー装置に接続された他の家庭内機器の情報を前記給湯器を遠隔操作するリモコンの表示部または音声報知部に表示／報知することができる。
【００１５】
第８の発明は、家庭内サーバー装置と、前記家庭内サーバー装置と接続可能なインターフェイスを給湯器を遠隔操作するリモコンに備え、前記家庭内サーバー装置に接続された他の家庭内機器へ前記給湯器の情報を送信することができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における給湯器ネットワークシステムの構成図である。
【００１８】
図１において、給湯器本体１と、家庭内サーバー装置２と、給湯器本体１を遠隔操作するリモコン３と、家庭内サーバー装置２と接続可能なインターフェイス４を備えた構成となっている。
【００１９】
以上のように構成された給湯器ネットワークシステムについて、以下その動作、作用を説明する。
【００２０】
まず、家庭内サーバー装置２と、給湯器本体１に備えられたインターフェイス４とを接続（有線、無線問わない）することにより、前記家庭内サーバー装置２に接続された外部情報提供システム５から受け取った情報を前記給湯器本体１を遠隔操作するリモコン３の表示部６または音声報知部７に表示／報知することが可能となる。
【００２１】
（実施の形態２）
図２は、本発明の第２の実施の形態における給湯器ネットワークシステムの構成図である。
【００２２】
図２において、給湯器本体１と、家庭内サーバー装置２と、給湯器本体１を遠隔操作するリモコン３と、家庭内サーバー装置２と接続可能なインターフェイス４を備えた構成となっている。
【００２３】
以上のように構成された給湯器ネットワークシステムについて、以下その動作、作用を説明する。
【００２４】
まず、家庭内サーバー装置２と、給湯器本体１を遠隔操作するリモコン３に備えられたインターフェイス４とを接続（有線、無線問わない）することにより、前記家庭内サーバー装置２に接続された外部情報提供システム５から受け取った情報を前記給湯器本体１を遠隔操作するリモコン３の表示部６または音声報知部７に表示／報知することが可能となる。
【００２５】
（実施の形態３）
図３は、本発明の第３の実施の形態における給湯器ネットワークシステムの構成図である。
【００２６】
図３において、給湯器本体１と、家庭内サーバー装置２と、給湯器本体１を遠隔操作するリモコン３と、家庭内サーバー装置２と接続可能なインターフェイス４を備えた構成となっている。
【００２７】
以上のように構成された給湯器ネットワークシステムについて、以下その動作、作用を説明する。
【００２８】
まず、家庭内サーバー装置２と、給湯器本体１に備えられたインターフェイス４とを接続（有線、無線問わない）することにより、前記家庭内サーバー装置２に接続された外部情報受付システム８へ前記給湯器本体１の情報を送信することが可能となる。
【００２９】
（実施の形態４）
図４は、本発明の第４の実施の形態における給湯器ネットワークシステムの構成図である。
【００３０】
図４において、給湯器本体１と、家庭内サーバー装置２と、給湯器本体１を遠隔操作するリモコン３と、家庭内サーバー装置２と接続可能なインターフェイス４を備えた構成となっている。
【００３１】
以上のように構成された給湯器ネットワークシステムについて、以下その動作、作用を説明する。
【００３２】
まず、家庭内サーバー装置２と、給湯器本体１に備えられたインターフェイス４とを接続（有線、無線問わない）することにより、前記家庭内サーバー装置２に接続された他の家庭内機器９の情報を前記給湯器本体１を遠隔操作するリモコン３の表示部６または音声報知部７に表示／報知することが可能となる。
【００３３】
（実施の形態５）
図５は、本発明の第５の実施の形態における給湯器ネットワークシステムの構成図である。
【００３４】
図５において、給湯器本体１と、家庭内サーバー装置２と、給湯器本体１を遠隔操作するリモコン３と、家庭内サーバー装置２と接続可能なインターフェイス４を備えた構成となっている。
【００３５】
以上のように構成された給湯器ネットワークシステムについて、以下その動作、作用を説明する。
【００３６】
まず、家庭内サーバー装置２と、給湯器本体１に備えられたインターフェイス４とを接続（有線、無線問わない）することにより、前記家庭内サーバー装置２に接続された他の家庭内機器９へ前記給湯器本体１の情報を送信することが可能となる。
【００３７】
（実施の形態６）
図６は、本発明の第６の実施の形態における給湯器ネットワークシステムの構成図である。
【００３８】
図６において、給湯器本体１と、家庭内サーバー装置２と、給湯器本体１を遠隔操作するリモコン３と、家庭内サーバー装置２と接続可能なインターフェイス４を備えた構成となっている。
【００３９】
以上のように構成された給湯器ネットワークシステムについて、以下その動作、作用を説明する。
【００４０】
まず、家庭内サーバー装置２と、給湯器本体１を遠隔操作するリモコン３に備えられたインターフェイス４とを接続（有線、無線問わない）することにより、前記家庭内サーバー装置２に接続された外部情報受付システム８へ前記給湯器本体１の情報を送信することが可能となる。
【００４１】
（実施の形態７）
図７は、本発明の第７の実施の形態における給湯器ネットワークシステムの構成図である。
【００４２】
図７において、給湯器本体１と、家庭内サーバー装置２と、給湯器本体１を遠隔操作するリモコン３と、家庭内サーバー装置２と接続可能なインターフェイス４を備えた構成となっている。
【００４３】
以上のように構成された給湯器ネットワークシステムについて、以下その動作、作用を説明する。
【００４４】
まず、家庭内サーバー装置２と、給湯器本体１を遠隔操作するリモコン３に備えられたインターフェイス４とを接続（有線、無線問わない）することにより、前記家庭内サーバー装置２に接続された他の家庭内機器９の情報を前記給湯器本体１を遠隔操作するリモコン３の表示部６または音声報知部７に表示／報知することが可能となる。ことが可能となる。
【００４５】
（実施の形態８）
図８は、本発明の第８の実施の形態における給湯器ネットワークシステムの構成図である。
【００４６】
図８において、給湯器本体１と、家庭内サーバー装置２と、給湯器本体１を遠隔操作するリモコン３と、家庭内サーバー装置２と接続可能なインターフェイス４を備えた構成となっている。
【００４７】
以上のように構成された給湯器ネットワークシステムについて、以下その動作、作用を説明する。
【００４８】
まず、家庭内サーバー装置２と、給湯器本体１を遠隔操作するリモコン３に備えられたインターフェイス４とを接続（有線、無線問わない）することにより、前記家庭内サーバー装置２に接続された他の家庭内機器９へ前記給湯器本体１の情報を送信することが可能となる。
【産業上の利用可能性】
【００４９】
以上のように、本発明にかかる給湯器ネットワークシステムは、家庭内サーバー装置と接続可能なインターフェイスを給湯器本体または給湯器本体を遠隔操作するリモコンに備え、外部ネットワークまたは他の家庭内機器と情報のやり取りできることができる。
【図面の簡単な説明】
【００５０】
【図１】本発明の実施の形態１における給湯器ネットワークシステムの構成図
【図２】本発明の実施の形態２における給湯器ネットワークシステムの構成図
【図３】本発明の実施の形態３における給湯器ネットワークシステムの構成図
【図４】本発明の実施の形態４における給湯器ネットワークシステムの構成図
【図５】本発明の実施の形態５における給湯器ネットワークシステムの構成図
【図６】本発明の実施の形態６における給湯器ネットワークシステムの構成図
【図７】本発明の実施の形態７における給湯器ネットワークシステムの構成図
【図８】本発明の実施の形態８における給湯器ネットワークシステムの構成図
【図９】従来の給湯器システムの構成図
【符号の説明】
【００５１】
１  給湯器本体
２  家庭内サーバー装置
３  遠隔操作リモコン
４  インターフェイス
５  外部情報提供システム
６  表示部
７  音声報知部
８  外部情報受付システム
９  家庭内機器
【図１】
2005249291.tif 000003
【図２】
2005249291.tif 000004
【図３】
2005249291.tif 000005
【図４】
2005249291.tif 000006
【図５】
2005249291.tif 000007
【図６】
2005249291.tif 000008
【図７】
2005249291.tif 000009
【図８】
2005249291.tif 000010
【図９】
2005249291.tif 000011